【事件の表示】
　平成９年特許願第３６６４５９号「草刈機および草刈アダプター」拒絶査定に対する審判事件〔平成１１年７月６日出願公開、特開平１１−１７８４２０、請求項の数（４）〕について、次のとおり審決する。
【結　論】
　原査定を取り消す。
　本願の請求項１ないし請求項４に係る発明は、特許をすべきものとする。
【理　由】
一、本願発明
　本願の特許出願は、平成９年１２月２４日に出願された特願平９−３６６４５９号に係り、本願特許出願の発明は、平成１３年２月２３日付けの手続補正書により補正された明細書及び図面の記載からみて、その特許請求の範囲の請求項１ないし請求項４に記載された事項により特定された次のとおりのものである。
「【請求項１】道路を走行することができるトラクター、パワーショベルやバックホー等の建設機械本体と、この建設機械本体に設置された上下左右方向に駆動させることができる駆動アームと、この駆動アームの先端部に前後左右方向に回動可能な接続金具を介して取付けられた下部が開口されたカバー体、このカバー体内に回転可能に取付けられた回転軸、この回転軸を回転駆動させるように前記カバー体に取付けられた前記建設機械本体の油圧によって作動する油圧モーターを備える駆動装置、前記回転軸に所定間隔に固定された取付け金具取付け孔を有する複数個のハンマーナイフ支持体、これらのハンマーナイフ支持体の取付け金具取付け孔にそれぞれ取付けられたほぼＵ字状あるいはほぼ山形形状の取付け金具、これらの取付け金具にそれぞれ左右方向へ移動可能に取付けられる該取付け金具が挿入される長孔状の取付け孔が基部に形成され、先端部が両側方向に曲げられた一対のハンマーナイフとからなる草刈アダプターとを備えることを特徴とする草刈機。
　【請求項２】道路を走行することができるトラクター、パワーショベルやバックホー等の建設機械本体と、この建設機械本体に設置された上下左右方向に駆動させることができる駆動アームと、この駆動アームの先端部に前後左右方向に回動可能な接続金具を介して取付けられた下部が開口されたカバー体、このカバー体内に回転可能に取付けられた回転軸、この回転軸を回転駆動させるように前記カバー体に取付けられた前記建設機械本体の油圧によって作動する油圧モーターを備える駆動装置、前記回転軸に所定間隔に固定された長孔状の取付け金具取付け孔を有する複数個のハンマーナイフ支持体、これらのハンマーナイフ支持体の取付け金具取付け孔にそれぞれ取付けられたほぼＵ字状あるいはほぼ山形形状の取付け金具、これらの取付け金具にそれぞれ左右方向へ移動可能に取付けられる該取付け金具が遊挿状態となる取付け孔が基部に形成され、先端部が両側方向に曲げられた一対のハンマーナイフとからなる草刈アダプターとを備えることを特徴とする草刈機。
　【請求項３】道路を走行することができるトラクター、パワーショベルやバックホー等の建設機械の上下左右方向に駆動される駆動アームの先端部に前後左右方向に回動可能に取付けられる接続金具と、この接続金具がほぼ中央上部に取付けられた下部が開口されたカバー体と、このカバー体内に回転可能に取付けられた回転軸と、この回転軸を回転駆動させるように前記カバー体に取付けられた油圧モーターを備える駆動装置と、前記回転軸に所定間隔に固定された取付け金具取付け孔を有する複数個のハンマーナイフ支持体と、これらのハンマーナイフ支持体の取付け金具取付け孔にそれぞれ取付けられたほぼＵ字状あるいはほぼ山形形状の取付け金具と、これらの取付け金具にそれぞれ左右方向へ移動可能に取付けられる該取付け金具が挿入される長孔状の取付け孔が基部に形成され、先端部が両側方向に曲げられた一対のハンマーナイフとからなることを特徴とする草刈アダプター。
　【請求項４】道路を走行することができるトラクター、パワーショベルやバックホー等の建設機械の上下左右方向に駆動される駆動アームの先端部に前後左右方向に回動可能に取付けられる接続金具と、この接続金具がほぼ中央上部に取付けられた下部が開口されたカバー体と、このカバー体内に回転可能に取付けられた回転軸と、この回転軸を回転駆動させるように前記カバー体に取付けられた油圧モーターを備える駆動装置と、前記回転軸に所定間隔に固定された長孔状の取付け金具取付け孔を有する複数個のハンマーナイフ支持体と、これらのハンマーナイフ支持体の取付け金具取付け孔にそれぞれ取付けられたほぼＵ字状あるいはほぼ山形形状の取付け金具と、これらの取付け金具にそれぞれ左右方向へ移動可能に取付けられる該取付け金具が遊挿状態となる取付け孔が基部に形成され、先端部が両側方向に曲げられた一対のハンマーナイフとからなることを特徴とする草刈アダプター。」（以下、請求項の順に「本願発明１」ないし「本願発明４」という。）
　
二、原審が拒絶査定の理由に引用した引用刊行物及びその理由の概要
１．原審が拒絶査定の理由に引用した引用刊行物
　引用文献１：特開平８−３３１９６１号公報
　引用文献２：実願昭５６−７２８９０号（実開昭５７−１８３８１５号）のマイクロフィルム
　引用文献３：実願昭５６−６０５８４号（実開昭５７−１７３５２５号）のマイクロフィルム
　引用文献４：実願平５−５４４５４号（実開平７−２２６２０号）のＣＤ−ＲＯＭ
　引用文献５：特公昭４３−１０２９０号公報
　
２．原審の拒絶査定の理由の概要
　原審が本願特許出願に係る発明に対し拒絶の査定をした理由の概要は、本願特許出願前に頒布された刊行物である上記引用文献１ないし引用文献５を引用し、
（１）本願発明１と上記引用文献１に記載された発明（以下、これを「引用発明」という。）とを比較すると、本願発明１と引用発明との間の構成上の相違であるハンマーナイフの基部に形成された取付け金具が挿入される長孔状の取付け孔の点は、上記引用文献２及び引用文献３に記載されており、また、本願発明１のハンマーナイフが取付け金具に左右方向に移動可能に取付けられる点も、上記引用文献４及び引用文献５に記載されているように、本願特許出願時の周知技術であるから、本願発明１は、前記引用文献１、２、３、４、５に記載の発明及び周知技術に基いて当業者が容易に発明をすることができたものであり、また、本願発明１の奏する作用効果にも格別のものを認めることができないので、本願発明１は、特許法第２９条第２項の規定により特許を受けることができない。
（２）本願発明２と上記引用発明とを比較すると、本願発明２と引用発明との間の構成上の相違である長孔状の取付け金具取付け孔を有するハンマーナイフ支持体、及び一対のハンマーナイフの基部に形成された取付け金具が遊挿状態となる取付け孔の点は、引用文献４に記載されており、また、本願発明２のハンマーナイフが取付け金具に左右方向に移動可能に取付けられる点も、上記引用文献４及び引用文献５に記載されているように、本願特許出願時の周知技術であるから、本願発明２は、前記引用文献１、４、５に記載の発明及び周知技術に基いて当業者が容易に発明をすることができたものであり、また、本願発明２の奏する作用効果にも格別のものを認めることができないので、本願発明２は、特許法第２９条第２項の規定により特許を受けることができない。
（３）本願発明３は、本願発明１と同様の理由により、前記引用文献１、２、３、４、５に記載の発明及び周知技術に基いて当業者が容易に発明をすることができたものであり、また、本願発明３の奏する作用効果にも格別のものを認めることができないので、本願発明３は、特許法第２９条第２項の規定により特許を受けることができない。
（４）本願発明４は、本願発明２と同様の理由により、前記引用文献１、４、５に記載の発明及び周知技術に基いて当業者が容易に発明をすることができたものであり、また、本願発明４の奏する作用効果にも格別のものを認めることができないので、本願発明４は、特許法第２９条第２項の規定により特許を受けることができない、というものである。
　
三、当審の判断
　上記引用文献１ないし引用文献５のいずれにも、平成１３年２月２３日付けの手続補正書に基づいて補正された明細書の特許請求の範囲の請求項１及び請求項３に記載された「これらの取付け金具にそれぞれ左右方向へ移動可能に取付けられる該取付け金具が挿入される長孔状の取付け孔が基部に形成され、先端部が両側方向に曲げられた一対のハンマーナイフ」の構成、並びに、請求項２及び請求項請求項４に記載された「これらの取付け金具にそれぞれ左右方向へ移動可能に取付けられる該取付け金具が遊挿状態となる取付け孔が基部に形成され、先端部が両側方向に曲げられた一対のハンマーナイフ」の構成についての記載を認めることができない。そして、前記構成が、他の刊行物に記載された本願特許出願前の公知の技術であるとも、また、当業者に自明の事項であるとも、或いは、本願特許出願時の周知技術であるとも認めることがきない。しかも、本願発明１ないし本願発明４は、前記構成により本願明細書に記載の「ハンマーナイフが石等に衝突した場合、ハンマーナイフを収縮させたり左右方向へ移動させることができる」とういう格別の相乗効果を奏するものと認められる。
　したがって、本願発明１ないし本願発明４を、前記引用文献１ないし引用文献５に記載された発明及び周知技術に基いて当業者が容易に発明をすることができたものである、ということができない。
　
四、むすび
　以上のとおりであり、本願特許出願の請求項１ないし請求項４に係る発明を、拒絶査定の理由によって拒絶すべきものとすることができない。
　そして、他に本願の特許出願を拒絶すべき理由を発見しない。
　よって、結論のとおり審決する。